(57)【要約】【課題】　覗き見と盗撮防止の方法及びスカートの提供。【解決手段】　本発明の覗き見と盗撮防止の方法及びスカートは、裁断、縫製されてなるスカートと、スカートの腰部に設置された腰部固定装置と、スカートの両側に対称に設置されて両手を外からスカート内に通してスカート内で着替えを行なえるようにする二つの開口装置と、を具えている。【選択図】　　　　図１
2004068244.tif 000002
【特許請求の範囲】
【請求項１】
　人体腰部に着用されるスカートにあって、両手を外から内にスカートの両側の開口に通し、スカート内で衣服を着脱することを特徴とする、覗き見と盗撮防止の方法。
【請求項２】
　請求項１記載の覗き見と盗撮防止の方法において、人体の下半身周囲に前記スカートを固定することを特徴とする、覗き見と盗撮防止の方法。
【請求項３】
　覗き見と盗撮防止のスカートにおいて、裁断縫製されてなるスカートと、該スカートの腰部に設置された腰部固定装置と、スカートの両側に対称に設置された開口装置とを具え、両手を両側の開口装置よりスカート内部に進入させて衣服の着脱に供されることを特徴とする、覗き見と盗撮防止のスカート。
【請求項４】
　請求項３記載の覗き見と盗撮防止のスカートにおいて、スカートが展開可能なスカート片とされたことを特徴とする、覗き見と盗撮防止スカート。
【請求項５】
　請求項３記載の覗き見と盗撮防止のスカートにおいて、スカートが展開不能な連体スカートとされたことを特徴とする、覗き見と盗撮防止スカート。
【請求項６】
　請求項４又は請求項５に記載の覗き見と盗撮防止のスカートにおいて、スカート外周にギャザーが設けられたことを特徴とする、覗き見と盗撮防止スカート。
【請求項７】
　請求項３記載の覗き見と盗撮防止のスカートにおいて、スカートの前身ごろが後ろ身ごろより長く設けられたことを特徴とする、覗き見と盗撮防止スカート。
【請求項８】
　請求項３記載の覗き見と盗撮防止のスカートにおいて、腰部固定装置が粘着帯、スライドファスナー、スナップボタン、ボタン或いはフックとされたことを特徴とする、覗き見と盗撮防止スカート。
【請求項９】
　請求項８記載の覗き見と盗撮防止のスカートにおいて、開口装置に開口を開閉自在に閉合できる留め具が設けられ、該留め具が、粘着帯、スライドファスナー、スナップボタン、ボタン或いはフックとされたことを特徴とする、覗き見と盗撮防止スカート。
【請求項１０】
　請求項３記載の覗き見と盗撮防止のスカートにおいて、スカート腰部に締めつけ式の固定帯が設けられるか２本の固定帯がウエストバンド、ショルダーバンド或いはネックバンドとされたことを特徴とする、覗き見と盗撮防止スカート。
【請求項１１】
　請求項３記載の覗き見と盗撮防止のスカートにおいて、開口装置がスカートの両側に対称な開口を具えたことを特徴とする、覗き見と盗撮防止スカート。
【請求項１２】
　請求項３記載の覗き見と盗撮防止のスカートにおいて、開口装置がスカートの両側の腰部以下に形成された完全開放型のスリットとされたことを特徴とする、覗き見と盗撮防止スカート。
【請求項１３】
　請求項３記載の覗き見と盗撮防止のスカートにおいて、開口装置がスカートの内側に延伸されたポケットとされ、ポケットの底端に開口が形成されたことを特徴とする、覗き見と盗撮防止スカート。
【請求項１４】
　請求項３、１１、１２、１３のいずれかに記載の覗き見と盗撮防止のスカートにおいて、開口装置の開口に留め具が設けられたことを特徴とする、覗き見と盗撮防止スカート。
【請求項１５】
　請求項１４記載の覗き見と盗撮防止のスカートにおいて、留め具が粘着帯、スライドファスナー、スナップボタン、ボタン或いはフックとされたことを特徴とする、覗き見と盗撮防止スカート。
【請求項１６】
　請求項３記載の覗き見と盗撮防止のスカートにおいて、スカートの後ろ身ごろに長さ調整装置が設けられたことを特徴とする、覗き見と盗撮防止スカート。
【請求項１７】
　請求項１６記載の覗き見と盗撮防止のスカートにおいて、長さ調整装置が、後ろ身ごろの下部に設置された粘着帯、スライドファスナー、スナップボタン、ボタンのいずれかとされたことを特徴とする、覗き見と盗撮防止スカート。
【発明の詳細な説明】
【技術分野】
【０００１】
　本発明は一種の覗き見と盗み撮り防止の方法及びスカートに係り、特に、トイレ、浴室、着替えの時に使用される覗き見と盗み撮り防止の方法及びスカートに関する。
【背景技術】
【０００２】
　科学技術の発展は日進月歩であり、隠しカメラも進歩し、軽量化、小型化が進み、従来の特殊なモニタリングの機能のほか、最近では他人のプライバシーを覗き見るのに悪用され、防ぎきれない状況にある。現在、隠しカメラによる盗撮を防止するために発展した電子器材は価格が高く、多くの干渉のノイズがあり、隠しカメラを検出できないこともあり、隠し鏡や孔に対しては防ぐことができない。現在、スカートや巻きスカートには、両側にポケットが設けられたものがあるが、ポケットの底部は閉じられて開閉構造がなく、両手をポケットに通してスカートの内側で着替えを行なうことはできない。このため、覗き見防止の機能はない。このような状況にあって、現在ある製品には制限があり覗き見防止の機能がなく、現在、トイレ、浴室等での覗き見、盗撮防止に対する有効な解決策がない状態である。このため如何に女性のトイレや浴室でのプライバシーを保護し、覗き見、盗撮を防止するかが婦女子の関心を寄せる課題となっている。
【発明の開示】
【発明が解決しようとする課題】
【０００３】
　覗き見や盗撮が流行している原状を鑑み、本発明は覗き見と盗撮防止の方法及びスカートを提供することを目的とする。それは、上述の電子検出製品の価格が高価で、感度が不足し、雑音による干渉がある欠点を有効に解決するほか、隠し孔や鏡による覗き見を防止できるものとする。さらに、本発明は製造コストが低く、携帯に便利であり、機能と安全性が現在の電子製品よりはるかに高い。また、現在周知のスカートの欠点を解決する独特の設計と覗き見と盗撮防止の機能を有するものとする。本発明はトイレ、浴室での覗き見と盗撮等のプライバシー侵害行為を防止し、婦女が不必要な干渉を受けず、個人のプライバシーを守ることができ、安心して生活できるようにする。本発明は周知のスカートと一部が類似しているが、現在の周知のスカートには本発明の覗き見と盗撮防止の機能はなく、これらの機能は本発明の独特の設計により達成されるものである。
【課題を解決するための手段】
【０００４】
　請求項１の発明は、人体腰部に着用されるスカートにあって、両手を外から内にスカートの両側の開口に通し、スカート内で衣服を着脱することを特徴とする、覗き見と盗撮防止の方法としている。
　請求項２の発明は、請求項１記載の覗き見と盗撮防止の方法において、人体の下半身周囲に前記スカートを固定することを特徴とする、覗き見と盗撮防止の方法としている。
　請求項３の発明は、覗き見と盗撮防止のスカートにおいて、裁断縫製されてなるスカートと、該スカートの腰部に設置された腰部固定装置と、スカートの両側に対称に設置された開口装置とを具え、両手を両側の開口装置よりスカート内部に進入させて衣服の着脱に供されることを特徴とする、覗き見と盗撮防止のスカートとしている。
　請求項４の発明は、請求項３記載の覗き見と盗撮防止のスカートにおいて、スカートが展開可能なスカート片とされたことを特徴とする、覗き見と盗撮防止スカートとしている。
　請求項５の発明は、請求項３記載の覗き見と盗撮防止のスカートにおいて、スカートが展開不能な連体スカートとされたことを特徴とする、覗き見と盗撮防止スカートとしている。
　請求項６の発明は、請求項４又は請求項５に記載の覗き見と盗撮防止のスカートにおいて、スカート外周にギャザーが設けられたことを特徴とする、覗き見と盗撮防止スカートとしている。
　請求項７の発明は、請求項３記載の覗き見と盗撮防止のスカートにおいて、スカートの前身ごろが後ろ身ごろより長く設けられたことを特徴とする、覗き見と盗撮防止スカートとしている。
　請求項８の発明は、請求項３記載の覗き見と盗撮防止のスカートにおいて、腰部固定装置が粘着帯、スライドファスナー、スナップボタン、ボタン或いはフックとされたことを特徴とする、覗き見と盗撮防止スカートとしている。
　請求項９の発明は、請求項８記載の覗き見と盗撮防止のスカートにおいて、開口装置に開口を開閉自在に閉合できる留め具が設けられ、該留め具が、粘着帯、スライドファスナー、スナップボタン、ボタン或いはフックとされたことを特徴とする、覗き見と盗撮防止スカートとしている。
　請求項１０の発明は、請求項３記載の覗き見と盗撮防止のスカートにおいて、スカート腰部に締めつけ式の固定帯が設けられるか２本の固定帯がウエストバンド、ショルダーバンド或いはネックバンドとされたことを特徴とする、覗き見と盗撮防止スカートとしている。
　請求項１１の発明は、請求項３記載の覗き見と盗撮防止のスカートにおいて、開口装置がスカートの両側に対称な開口を具えたことを特徴とする、覗き見と盗撮防止スカートとしている。
　請求項１２の発明は、請求項３記載の覗き見と盗撮防止のスカートにおいて、開口装置がスカートの両側の腰部以下に形成された完全開放型のスリットとされたことを特徴とする、覗き見と盗撮防止スカートとしている。
　請求項１３の発明は、請求項３記載の覗き見と盗撮防止のスカートにおいて、開口装置がスカートの内側に延伸されたポケットとされ、ポケットの底端に開口が形成されたことを特徴とする、覗き見と盗撮防止スカートとしている。
　請求項１４の発明は、請求項３、１１、１２、１３のいずれかに記載の覗き見と盗撮防止のスカートにおいて、開口装置の開口に留め具が設けられたことを特徴とする、覗き見と盗撮防止スカートとしている。
　請求項１５の発明は、請求項１４記載の覗き見と盗撮防止のスカートにおいて、留め具が粘着帯、スライドファスナー、スナップボタン、ボタン或いはフックとされたことを特徴とする、覗き見と盗撮防止スカートとしている。
　請求項１６の発明は、請求項３記載の覗き見と盗撮防止のスカートにおいて、スカートの後ろ身ごろに長さ調整装置が設けられたことを特徴とする、覗き見と盗撮防止スカートとしている。
　請求項１７の発明は、請求項１６記載の覗き見と盗撮防止のスカートにおいて、長さ調整装置が、後ろ身ごろの下部に設置された粘着帯、スライドファスナー、スナップボタン、ボタンのいずれかとされたことを特徴とする、覗き見と盗撮防止スカートとしている。
【発明の効果】
【０００５】
　本発明の覗き見と盗撮防止の方法及びスカートは、電子式ピンホールカメラ検出器の欠点を解決し、製造コストが低く、安全性が高く、携帯に便利であり、検出できない隠し鏡や孔による覗き見を防止できる。また、現在あるスカートにはない独特の設計と覗き見と盗撮防止の機能を具えている。ゆえに本発明は確実に産業上の利用価値を有し、その実用性と進歩性は明らかである。
【発明を実施するための最良の形態】
【０００６】
　本発明の覗き見と盗撮防止の方法及びスカートは、裁断、縫製されてなるスカートと、スカートの腰部に設置された腰部固定装置と、スカートの両側に対称に設置されて両手を外からスカート内に通してスカート内で着替えを行なえるようにする二つの開口装置と、を具えている。
【０００７】
　実行可能な実施例において、スカートは単独の一片、或いは複数の布片が裁断縫製されてなる。ウエストバンドで固定されたギャザーの設計により、スカートの幅が調整されうる。スカートの腰部には腰部固定装置が設けられて重なり部分を固定することができ、また固定帯が縫い付けられている。本発明の腰部の固定装置は粘着帯、或いはボタンと配列された一列の孔との組合せ、或いは複数の凹面スナップと凸面スナップの組合せとされ、さらにスライドファスナー或いはボタンを使用可能である。スカート着用時には、先ず腰部固定装置で迅速に腰部に固定でき、さらに２本の固定帯が結びつけられることで、スカートの脱落が防止される。
【０００８】
　上述のスカートの両手操作に供される開口装置は、スカートに設けられた一対の開口とされて、使用者の両手の挿入に供される。この開口はスカート着用時の左右両側位置とされ、開口の大きさは一般のポケットと近似とされるか、腰帯以下に形成されて上から下に不完全に開かれて形成された開口とされる。このほか、両手操作に供される開口装置はスカートの両側開口、両側のスリット状の開口或いは一対のポケット状構造とされ得て、並びに開口に可動留め具が設けられ、該可動留め具は、粘着帯、スライドファスナー、フック、スナップ或いはボタンとされて該開口を閉じることができるものとされ、使用時に使用者は両手を挿入してこの開口を開放し、スカート内で衣類を交換することができる。上述の開口装置は両手を進入させやすく、スカート内で衣類の着脱を行ない易い大きさ、形状及び角度の開口に形成される。その目的は、トイレ、浴室及び着替えの時の外部への露出を防止し、覗き見と盗撮を防止することにある。
【０００９】
　スカートの設計は前後の身ごろが等長に設計されるか、或いは前身ごろが後ろ身ごろより長く、且つ長さの差が５ｃｍ以上とされ、これにより女性がトイレをする際に、前部を覆うことができ、且つ後ろ身ごろが短いために、地面に引きずって汚れることがない。また一方で、個人の体型の違いを考慮し、後ろ身ごろの長さを調整可能に設計することができる。この後ろ身ごろの長さ調整装置はスカートに縫い付けられた粘着帯、スライドファスナー、ボタン、スナップとされ、長さ調整に供される。
【実施例１】
【００１０】
　図１、２に示されるように、本発明の覗き見と盗撮防止のスカートは、裁断、縫製されてなるスカート１０と、スカート１０の腰部に設置された腰部固定装置２０と、スカートの両側に対称に設置された開口装置３０と、を具えている。該スカート１０は展開できるスカート片で形成され、それは両側の前身ごろ１１と中間の後ろ身ごろ１２を具え、前身ごろ１１のほうが後ろ身ごろ１２より５ｃｍ以上長く設けられている。スカート１０の上部周囲にギャザー１３が設けられ、並びに腰部にウエストバンド１４が縫い付けられ、ギャザー１３が固定され、また該ウエストバンド１４に腰部固定装置２０が縫い付けられ、さらに２本の固定帯が設けられている。
　上述の腰部固定装置２０はスカート１０の腰部両端に設けられ、自在に結合、分離できる留め具の設計が採用され、例えば、粘着帯とされる。
　スカート１０の両側の腰部に近い位置にそれぞれ開口装置３０が設けられ、これら開口装置３０は最も好ましくは前身ごろ１１、後ろ身ごろ１２の境界部分に設置され、並びにスカートに別に内側布３３が縫い付けられて開口の後面を遮蔽するが、但し開口の開放を妨害しないものとされる。
　図３の実施例中、スカート両側の開口装置３０に開閉式の留め具３４が設けられ、この留め具３４には粘着帯、スライドファスナー、スナップボタン、ボタン、フックとされ、開放と閉合に便利なものとされる。
　本発明の覗き見と盗撮防止の方法及びスカートの製造過程で、まず、所定寸法、形状の前身ごろ１１、後ろ身ごろ１２、ウエストバンド１４、固定帯２１及び内側布３３が裁断され、前身ごろ１１に開口装置３０が形成され、その後、前身ごろ１１、後ろ身ごろ１２及び内側布３３が縫い付けられて、ギャザー１３が形成され、並びに腰部のウエストバンド１４と固定帯２１が縫い付けられ、及び腰部固定装置２０が縫い付けられて、図１、２に示される展開可能な覗き見と盗撮防止の方法及びスカートが完成する。
　本発明の覗き見と盗撮防止の方法は、人体腰部に上述のスカートを装着し、さらに固定装置２０で腰部上縁に固定し、並びに２本の固定帯２１を結び、スカートが脱落しないようにし、その後、両手を外から内にスカート両側に開口に差し込み、スカート内で衣服の着脱を行ない、スカートの遮蔽効果により人体を露出させず、覗き見と盗撮を防止する。
【実施例２】
【００１１】
　図４、５、６に示される実施例では、スカートは展開可能なスカート１００とされ、それも両側の前身ごろ１１と中間の後ろ身ごろ１２０が縫い付けられ、さらに腰部のウエストバンド１４と固定帯２１が縫い付けられている。両側の前身ごろ１１０と後ろ身ごろ１２０は重ね合わせられるスアリット構造に設けられ、スカート１００の両側の開口装置３１は腰部より下に形成された完全に開放したスリット状の開口とされる。
　図６の実施例では、両側の開口装置３０のスリット状の重なり部分に留め具３４が設けられ、この留め具３４は粘着帯、スライドファスナー、スナップボタン、ボタン或いはフックとされ、開閉に便利なものとされる。
　また、スカートの後ろ身ごろ１２０の下部背面に長さ調整装置４０が設けられ（図７参照）、この長さ調整装置４０には粘着帯、スライドファスナー、スナップボタン、ボタンが採用され、後ろ身ごろ１２０の長さ調整に便利なものとされる。
【実施例３】
【００１２】
　図８に示される実施例では、スカート１０が裁断縫製されて不展開の連体型スカート１０１とされ、その腰部の開口は側辺に位置し、図９の腰部開口は後面中間に位置し、並びに腰部に縫い付けられた腰部固定装置２０、及び固定帯２２がウエストバンドとされるか、或いは締めつけ式の固定帯２５とされる。スカート１０１の両側に対称に開口装置３０が設けられ、両手を両側の開口よりスカート１０１内部に進入させて衣類の着脱が行なえる。
　図１０に示される実施例では、スカート１０１の腰部に２本の固定帯２３が設けられて人体肩部に掛けられる。図１１中の２本の固定帯２４はネックバンドとされ、人体頸部に掛けられる。
【実施例４】
【００１３】
　図１２、１３に示される実施例では、スカートの両側の開口装置３０がスカート１０１内に延伸されたポケットとされ、並びにポケットの底端に開口が設けられ、該開口に留め具３４が設けられ、この留め具３４は、粘着帯、スライドファスナー、スナップボタン、ボタン或いはフックとされ、開閉に便利とされ、両手をスカート１０１に進入させてスカート１０１の内側で衣類を着脱することができる。
【図面の簡単な説明】
【００１４】
【図１】本発明の覗き見と盗撮防止のスカートの斜視図である。
【図２】図１の使用状態図である。
【図３】図１の展開図である。
【図４】本発明のもう一つの実施例の斜視図である。
【図５】図４の使用状態図である。
【図６】図４の展開図である。
【図７】図６の後ろ身ごろの背面図である。
【図８】本発明のさらにもう一つの実施例表示図であり、そのうち腰部固定装置はスカートの左側に位置している。
【図９】図８の変化実施例表示図であり、そのうち腰部固定装置はスカートの後ろ側に位置している。
【図１０】図８の変化実施例表示図であり、そのうち固定帯が肩に掛けられている。
【図１１】図１０の変化実施例表示図であり、そのうち固定帯が頸部に掛けられている。
【図１２】本発明のさらにまた一つの実施例表示図である。
【図１３】図１２のポケットの斜視図である。
【符号の説明】
【００１５】
１０　スカート　　　　　１１　前身ごろ　　　　１２　後ろ身ごろ
１３　ギャザー　　　　　１４　ウエストバンド
１００　スカート　　　　１０１　スカート
１１０　前身ごろ　　　　１２０　後ろ身ごろ
２０　腰部固定装置　　　２１　固定帯　　　　　２２　固定帯
２３　固定帯　　　　　　２４　固定帯　　　　　２５　固定帯
３０　開口装置　　　　　３１　開口装置　　　　３２　開口装置
３３　内側布　　　　　　３４　留め具　　　　　４０　長さ調整装置
【図１】
2004068244.tif 000003
【図２】
2004068244.tif 000004
【図３】
2004068244.tif 000005
【図４】
2004068244.tif 000006
【図５】
2004068244.tif 000007
【図６】
2004068244.tif 000008
【図７】
2004068244.tif 000009
【図８】
2004068244.tif 000010
【図９】
2004068244.tif 000011
【図１０】
2004068244.tif 000012
【図１１】
2004068244.tif 000013
【図１２】
2004068244.tif 000014
【図１３】
2004068244.tif 000015